(57)【特許請求の範囲】
【請求項１】
透明な表保護シート、一又は複数枚で構成されたコアシート、透明な裏保護シートが順次積層され、前記表保護シート側のエンボス文字形成予定部に着色されたエンボス文字の凸部が形成されるエンボス文字形成用積層カードにおいて、
前記エンボス文字形成予定部には、前記表保護シートと前記コアシートの間に、前記着色されたエンボス文字部の着色層と同系色の印刷インキによる着色層が形成されたことを特徴とするエンボス文字形成用積層カード。
【請求項２】
請求項１に記載のエンボス文字形成用積層カードにおいて、  
前記エンボス文字の凸部が形成される面に印刷される表図柄印刷層は、表保護シートの表出面に形成されたことを特徴とするエンボス文字形成用積層カード。
【発明の詳細な説明】
【技術分野】
【０００１】
本発明は、エンボス文字の着色部が磨耗しても外観が醜くならないエンボス文字形成用積層カードに関する。
【背景技術】
【０００２】
クレジットカードや会員カードには、エンボス文字（カードのおもて面に形成された突出した文字や記号）を形成したカードが多く利用されている。
カードにエンボス文字を形成する目的は、エンボス文字の痕跡を伝票にコピーし、カードが利用された証拠を残すためである。
クレジットカード加盟店には、インプリンタと呼ばれる売上げ伝票発行器が配備され、顧客がクレジットカードを利用して支払いを行った場合は、顧客のクレジットカードをインプリンタの所定の位置に装着して、その上に売上伝票を載せ、売上伝票の上から加圧ローラで売上げ伝票にクレジットカードのエンボス文字を写し取る。
売上伝票にはカード上に形成されたエンボス文字の印影が複写カーボンや発色カプセルなどによってコピーされる。売上伝票の利用金額欄に金額を記載し、顧客にサインをもらって、売上伝票の一部を顧客控として顧客に渡し、加盟店には加盟店控を残し、残りの伝票をクレジットカード会社に送付する。
【０００３】
キャッシュカードの場合は、現金自動預け払い機（ＡＴＭ）等にキャッシュカードを挿入すると、ＡＴＭはキャッシュカードを取り込み、巻紙にカードに形成されたエンボス文字の印影を目視可能に写し取り、キャッシュカードがＡＴＭで利用された証拠を残す。
【０００４】
前述のように、エンボス文字はカードが利用された証拠を物理的に写し取る手段として有効に利用されている。
また、クレジットカードなどは、国際的に使用されるために、ＩＳＯ（Ｉｎｔｅｒｎａｔｉｏｎａｌ Ｏｒｇａｎｉｚａｔｉｏｎ ｆｏｒ Ｓｔａｎｄａｒｄｉｚａｔｉｏｎ）規格に準拠して作られる。
カードメーカーでは、不透明なコア材の表裏に所定の印刷を行い、透明な保護シートを貼り合わせて所定の厚みとし、最表面に磁気ストライプやＩＣモジュールを形成してＩＳＯ規格に準拠したカードとして発行している。
【０００５】
ＩＳＯ規格に準拠させるために、カードの厚さを０．７６ｍｍ±１０％とする。多くのクレジットカードは、三層またはそれ以上の枚数のシートを貼り合わせ、積層する。カードへの印刷を容易にするためコアシートを複数構成とし、また、カード上に印刷された印刷情報を磨耗から保護するために保護シートで印刷部を被覆する。
【０００６】
また、多くの場合、カードに形成されたエンボス文字はエンボス文字の頂上を着色する。前述のカード加盟店の中にはインプリンタを設置していない店があり、このような加盟店では、カードに形成されたエンボス文字を目で確認しながら売上げ伝票にカード番号を転記する。そこで、エンボスされた文字を着色して見易くし、誤った番号を伝票に記載しないようにしている。
【０００７】
過去に、「チッピング用カード及びこのカードへのチッピング装置」が提供されている（例えば、特許文献１参照）。
特許文献１によれば、一般会員用、準特別会員用、特別会員用などといった複数種類のカードを同時に取り扱うカード発行装置にあっては、異なる種類のカードに対し、文字部分におけるチッピングの色（前述のエンボス文字の頂上を着色した色）も、例えば、金、銀、白とするなどそれぞれ異ならせたいとする場合があり、このように異なる色でチッピングしようとすれば、例えば、カードの種類ごとにリボンを交換する（Ａ）、必要とする色の数だけチッピング装置を設ける（Ｂ）、１本のリボンに複数色の領域を交互に設けたいわゆるマルチカラーリボンを採用する（Ｃ）などの手段が挙げられる。
しかしながら、上述のＡの場合にあってはカードの種類を変えるごとにリボンを交換する手間が生じ、Ｂの場合は装置が大がかりとなって費用がかかる一方で、チッピング装置の台数を限定すると利用できる色の種類が限られてしまう。
また、Ｃの場合はチッピング装置にリボン色を検出するセンサや制御機能の追加が必要となることに加え、リボンが高価になり、リボンに無駄となる領域が生じて色の変更や追加が困難となり、さらにはリボンの種類が増えてしまうといった問題点がある。
ということで、従来の装置の増設や変更を伴わずにカードの種類に応じて着色することができるチッピング方法として、カードのエンボス形成部分に着色用のチッピングシートを剥離可能に貼り付け、チッピングシートのカード側の面に着色塗料が塗布されたチッピング用カードを提供するとしている。
【０００８】
【特許文献１】特開２０００−１５８８６２号公報
【発明の開示】
【発明が解決しようとする課題】
【０００９】
エンボス文字の頂上に施された着色材料は、カードをカードケースに収納する際の摩擦や、前述のインプリンタによる複写時に少しずつ削り取られて次第に薄くなってゆく。
使用頻度が多いカードは、エンボス文字の頂上に施された着色材料が無くなって、カードの基材の色が露出する。
特許文献１に記載の技術は、エンボス文字の着色材料が複数存在するときに、従来のエンボス装置をそのまま利用でき、着色リボンを交換する必要が生じないことを特徴としているが、エンボス文字の着色部の保護に関するものではない。
美しいデザインのカードに形成されたエンボス文字の着色材料が、磨耗によって無くなり、醜い状態になっていることはカードを発行する側にとっては耐え難いことである。
そこで本発明は、エンボス文字の着色部が磨耗しても外観が醜くならないエンボス文字形成用積層カードを提供することを目的とする。
【課題を解決するための手段】
【００１０】
前記課題の目的を達成するために、本発明のエンボス文字形成用積層カードの第一の態様は、透明な表保護シート、一又は複数枚で構成されたコアシート、透明な裏保護シートが順次積層され、前記表保護シート側のエンボス文字形成予定部に着色されたエンボス文字の凸部が形成されるエンボス文字形成用積層カードにおいて、
前記エンボス文字形成予定部には、前記表保護シートと前記コアシートの間に、前記着色されたエンボス文字部の着色層と同系色の印刷インキによる着色層が形成されたことを特徴とするものである。
【００１１】
また、第二の態様は、第一の態様において、エンボス文字の凸部が形成される面に印刷される表図柄印刷層は、表保護シートの表出面に形成されたことを特徴とするものである。
【発明の効果】
【００１２】
本発明のエンボス文字形成用積層カードにエンボス文字を形成することよって、使用頻度が高いカードで、エンボス文字の着色部が消滅しても、カードの保護シートの裏側に印刷された同系色の着色層により補完され、エンボス文字カードの外観が醜くなることがない。
【発明を実施するための最良の形態】
【００１３】
以下、図面を参照して、本発明のエンボス文字形成用積層カードについて説明する。
図１は、本発明のエンボス文字形成用積層カードの一例について説明するための図，図２は、図１のＡ−Ａ線断面について説明するための図，図３は、図１のＢ−Ｂ線断面について説明するための図，図４は、本発明のエンボス文字形成用積層カードの他の一例について説明するための図，図５は、図１のＡ−Ａ線断面の他の一例について説明するための図，である。
【００１４】
図１を参照して、本発明のエンボス文字形成用積層カードの一例について説明する。
本実施形態のエンボス文字形成用積層カード１は、透明な表保護シート、一枚又は複数枚で構成されたコアシート（図示せず）、透明な裏保護シートが順次積層され、表保護シート側のエンボス文字形成予定部にエンボス文字の凸部が形成されるエンボス文字形成積層カードである。
前記エンボス文字形成予定部１２のエンボス文字の凸部が形成される面（おもて面）の保護シートの裏側には着色層（図示せず）が形成される。
前記着色層は、積層カードに施されるエンボス文字部の着色層と同系色の印刷インキによって形成される。
また、積層カードのエンボス文字の凸部が形成される面に印刷される表図柄印刷層（図示せず）は、表保護シートの表出面に形成される。
【００１５】
本実施形態のエンボス文字形成用積層カード１には、カード情報記録部３として磁気ストライプや、図示しないがＩＣモジュールを形成、または、搭載することができる。
前述のカード情報記録部３としての磁気ストライプは、図１に示すように、表印刷図柄１１で遮蔽されてその存在が視認できないようになっている。
【００１６】
図２，図５を参照して、図１のＡ−Ａ線断面について説明する。
図１に示すエンボス文字形成用積層カードは、カードの表（おもて）面の最表面に表図柄印刷層が形成されたエンボス文字形成用積層カードの一例を示している。
図２に示すエンボス文字形成用積層カード１のコアシートは三枚のコアシート１０２，１０３，１０４で構成され、コアシート１０２の上面には透明な表保護シート１０１が積層され、コアシート１０４の下面には透明な裏保護シート１０５が積層された積層カードである。
また、図５に示すエンボス文字形成用積層カード１のコアシートは二枚のコアシート１０２，１０４で構成され、コアシート１０２の上面には透明な表保護シート１０１が積層され、コアシート１０４の下面には透明な裏保護シート１０５が積層された積層カードである。
【００１７】
エンボス文字形成用積層カードの最表面には前述の如く表図柄印刷層１１が形成され、表保護シート１０１の裏側のエンボス文字形成予定部１２には、着色層１２０が印刷されている。前記着色層１２０は、積層カードに施されるエンボス文字部の着色層と同系色の印刷インキによって形成される。
また、裏保護シート１０５とコアシート１０４の間には裏図柄印刷層１３が形成されている。前述の着色層１２０，裏図柄印刷層１３は、それぞれコアシート１０２，コアシート１０４側に印刷される。
図示しないがコアシートは、一枚で構成されてもよく、前述のように二枚，三枚で構成されてもよい。コアシートは通常、光を遮蔽させるために不透過度が高い乳白色のシートで構成される。
【００１８】
図３を参照して、図１のＢ−Ｂ線断面について説明する。
図３は、図１のエンボス文字、「１」の部分の断面を示したものである。
エンボス文字形成用積層カードは、図２，図５で説明したように、コアシートが三枚で構成された場合、二枚で構成された場合、何れの場合も、コアシート１０２，１０４の外側表面に透明な表保護シート１０１，１０５が積層される。
エンボス文字形成用積層カードの表保護シート１０１の表出面には表図柄印刷層１１が形成され、表保護シート１０１の裏側のエンボス文字形成予定部には、着色層１２０が印刷される      。
前記着色層１２０は、積層カードに施されるエンボス部の着色層２０と同系色の印刷インキによって形成される。
エンボス文字部の着色層２０の色は事前に決定されるために、使用される転写箔を入手し、エンボス文字形成予定部に印刷されるインキは転写箔の色に合せて調合され、スクリーン印刷方式などで印刷される。
エンボス文字形成予定部には、エンボス文字形成時に衝撃が加わるために着色層１２０に使用されるインキには、表用コアシート１０２や表保護シート１０１によく接着するメジウム樹脂が選定される。
【００１９】
図３において、使用頻度が高いカードは、摩擦によってエンボス文字部の着色層２０は次第に薄くなって最後には消滅する。
そのときに、表保護シート１０１の裏側に形成された表図柄印刷層１１のインキが露出し、表図柄印刷層１１のインキが磨り減って消滅すると着色層１２０が視認されるようになる。前述の着色層１２０は、表保護シート１０１で保護されているために容易に磨耗せずに長期にわたって消えることはない。
即ち、エンボス文字の頂上は一度は表図柄印刷層１１のインキ色になるが、最終的にはエンボス文字部の着色層２０と同系色に戻る。
【００２０】
図４を参照して、本発明のエンボス文字形成用積層カードの他の一例について説明する。
図４に示すエンボス文字形成用積層カードは、三枚で構成されたコアシート１０２，１０３，１０４の、コアシート１０２の外側表面に透明な表保護シート１０１が積層され、コアシート１０４の外側表面に透明な裏保護シート１０５が積層された積層カードである。
図４に示すエンボス文字形成用積層カードは、図１においてカードの表（おもて）面の表図柄印刷層が表保護シート１０１の裏側に形成されたエンボス用積層カードのＡ−Ａ線断面を示している。
【００２１】
前述の如くエンボス文字形成用積層カードの表保護シートの裏側に表図柄印刷層１１が形成され、エンボス文字形成予定部には、着色層１２０が印刷されている。
前記着色層１２０は、積層カードに施されるエンボス文字部の着色層と同系色の印刷インキによって形成される。
また、裏保護シート１０５と裏用コアシート１０４の間には裏図柄印刷層１３が形成されている。
前述の着色層１２０，裏図柄印刷層１３は、それぞれ表用コアシート１０２，裏用コアシート１０４側に印刷される。
図示しないが、コアシートは、一枚で構成されてもよい。
コアシート１０２，１０３，１０４は通常、光を遮蔽させるために不透過度が高い乳白色のシートで構成される。
【００２２】
使用頻度が高いカードは、摩擦によってエンボス文字部の着色層は次第に薄くなって最後には消滅する。そのときに、図４に示す表保護シート１０１の裏側に形成された表図柄印刷層１１が表出する。
図３の例も同様であるが、多くの場合、表図柄印刷層１１はオフセットインキで構成される。
一方、積層カードにエンボス文字形成が行われたときに、エンボス文字の凸部の頂上付近では基材のシートが伸びて面積が広くなる。
前述のオフセットインキで構成された表図柄印刷層１１は柔軟性に欠けるために、エンボス文字の凸部の頂上付近にはひび割れが生じ、そのひび割れの間から表図柄印刷層１１の裏側に形成された着色部１２０のインキが露出する状態になる。
即ち、エンボス文字の凸部の頂上は構造的には表図柄印刷層１１のインキ色になっているが、実質はエンボス文字部の着色層２０と同系色に見えている。
【００２３】
（材料）
図２を一部参照して、本発明のエンボス文字形成用積層カードに使用される材料の一例について説明する。
ただし、以下に記載する材料に拘るものではない。
表保護シート１０１，裏保護シート１０５には透明の非結晶性ポリエステル系樹脂，透明なポリ乳酸系樹脂，透明なポリ塩化ビニル樹脂等を、表用コアシート１０２，コアシート１０３，裏用コアシート１０４には乳白色の非結晶性ポリエステル系樹脂，透明なポリ乳酸系樹脂，透明なポリ塩化ビニル樹脂等を使用する。
非結晶性ポリエステル系樹脂は、一般的には芳香族ジカルボン酸とジオールとの脱水縮合体であって、共重合ポリエステルの中でも特に結晶性が低い非結晶性の芳香族ポリエステル樹脂からなる。ジカルボン酸としてはテレフタル酸，イソフタル酸，アジピン酸，ナフタレンジカルボン酸等があり、ジオールとしてはエチレングリコール，ジエチレングリコール，トリエチレングリコール，１，４−シクロヘキサンジメタノール等がある。ジカルボン酸成分とジオール成分の組合せは適宜行われる。
前記非結晶性ポリエステル系樹脂として、ポリエチレンテレフタレートにおけるエチレングリコール成分の３０モル％を１，４−シクロヘキサンジメタノールで置換した商品（商品名「ＰＥＴＧ」）がイーストマンケミカル社から市販されており、これらを使用することができる      。
ポリ乳酸系樹脂は、例えば、ポリー３ーヒドロキシアルカノエート、或いは３又は４ーヒドロキシアルカノエートの共重合体、又はこれらの混合物と、ジカルボン酸とグリコールを重縮合して成る脂肪族ポリエステル、又は／及び、乳酸を原料としてこれを直接又は二量体の開環重合してなるポリ乳酸を、二種又は三種ブレンドして使用する。
ポリ塩化ビニル樹脂については公知の市販材料を使用する。
【００２４】
エンボス文字形成予定部に印刷する着色層に使用するインキには、通常、アクリル系樹脂と酢酸ビニル系樹脂をそれぞれ１５質量部，顔料など５質量部をスクリーン印刷用溶剤に溶かしたスクリーン印刷用インキを使用する。
表図柄印刷部，裏図柄印刷部に使用する印刷インキには、市販されている紫外線硬化型のオフセットインキ、または、市販されているスクリーン用印刷インキを使用する。
【００２５】
カード情報記録部に使用される磁気記録材料には、音響用に使用される保磁力が３００エルステッドのフェライト、または、磁気カード用に使用される６５０エルステッドのフェライトを塗料用に調合して使用する。
または、前述のフェライトを使用した転写用磁気材料を使用する。
【００２６】
前述のエンボス文字形成用積層カードを構成する材料の厚さについては、特に限定しないが、例えば、コアシートを三枚構成とした場合、表保護シート１０１と裏保護シート１０５は、０．０５ｍｍ、表用コアシート１０２と裏用コアシート１０４は、０．１０ｍｍ程度（紙用印      刷機がそのまま使用できる厚さ）、コアシート１０３は、０．４６ｍｍとし、出来上がったカードの厚さが、０．７６ｍｍとなるようにする。
積層方法は、熱融着方式、接着剤を使用した方式、何れの方式によって行ってもよい。
【００２７】
前述のコアシートが一枚で構成される場合は、着色層１２０をコアシートに枚葉スクリーン印刷機などを使用して印刷し、表図柄印刷を転写紙上に行って表裏保護シートでコアシートを挟んで積層し、転写紙を剥がしてカードとする。
また、コアシートが複数枚で構成される場合は、着色層１２０を表用コアシートに印刷し、表図柄印刷を転写紙上に行って表裏保護シートで複数枚のコアシートを挟んで積層し、転写紙を剥がしてカードとする。
【産業上の利用可能性】
【００２８】
本発明のカードは、クレジットカード，会員カード，電子マネーなどに利用される。
【図面の簡単な説明】
【００２９】
【図１】本発明のエンボス文字形成用積層カードの一例について説明するための図である。
【図２】図１のＡ−Ａ線断面について説明するための図である。
【図３】図１のＢ−Ｂ線断面について説明するための図である。
【図４】本発明のエンボス文字形成用積層カードの他の一例について説明するための図である。
【図５】図１のＡ−Ａ線断面の他の一例について説明するための図である。
【符号の説明】
【００３０】
１ エンボス文字形成用積層カード
２ エンボス文字
３ カード情報記録部
１１ 表図柄印刷層，表印刷図柄
１２ エンボス文字形成予定部
１３ 裏図柄印刷層，裏印刷図柄
２０ エンボス文字部の着色層
１０１ 表保護シート（エンボス文字の凸部が形成される面の保護シート）
１０２ 表用コアシート
１０３ コアシート
１０４ 裏用コアシート
１０５ 裏保護シート
１２０ 着色層
【図１】
0005141260.tif 000002
【図２】
0005141260.tif 000003
【図３】
0005141260.tif 000004
【図４】
0005141260.tif 000005
【図５】
0005141260.tif 000006